(57)【要約】【課題】データ再生動作または記録動作にエラーが発生するのを効率的に予防する。【解決手段】本発明は、高密度光ディスク及び高密度光ディスクの再生と記録方法に係り、高密度ＤＶＤ（ＨＤ−ＤＶＤ）またはブルーレイディスク（Ｂｌｕ−ｒａｙ  Ｄｉｓｃ）のような高密度光ディスクのリードイン領域に記録される主要情報を、データ領域に記録されたデータの最小マーク／スペース長さより長い最小マーク／スペースで記録すると共に、その主要情報をリードアウト領域に重複記録する。それによって、主要情報を光ディスク装置より正確に読み出して確認することができ、高密度記録によるマークとスペース間の干渉発生を最少にすることができ、スクラッチやホコリなどによる影響を減少させることができる。したがって、データ再生動作または記録動作にエラーが発生するのを効率的に予防できる。【選択図】  図４
2007250181.tif 000002
【特許請求の範囲】
【請求項１】
少なくとも１つのリードイン領域および／又はリードアウト領域を含む制御データ領域と、ユーザデータ領域とから構成され、データを表す制御データ領域内で利用できるマーク又はスペースの長さは、データを表すユーザデータ領域内で利用できるマーク又はスペースの長さより長く、また制御データ内のデータとユーザデータ領域内のデータは同じ変調方式で変調されていることを特徴とする記録媒体。
【請求項２】
制御データ領域内の最小マーク又はスペースの長さは、ユーザーデータ領域の最小マーク又はスペースの長さの少なくとも２倍である請求項１に記載の記録媒体。
【請求項３】
制御データ領域の光伝達関数はユーザーデータ領域の光伝達関数とは異なる請求項２に記載の記録媒体。
【請求項４】
制御データ領域とユーザーデータ領域内のマーク又はスペースは４０５ｎｍの波長（λ）を有するレーザビームを使用した光ピックアップによって書き込まれるか又は読み取られる請求項１に記載の記録媒体。
【請求項５】
制御データ領域および／又はユーザーデータ領域内に記録されたデータの最小マーク又はスペースと協仂する情報を蓄積する特定領域を更に具備した請求項１記載の記録媒体。
【請求項６】
上記特定領域はバーストカッティング領域（ＢＣＡ）である請求項５に記載の記録媒体。
【請求項７】
（ａ）光記録媒体にマーク又はスペースを形するようにユーザーデータ領域に記録されるべきデータを処理するステップと、
（ｂ）上記処理されたデータをユーザーデータ領域に記録するステップとから構成され、上記ユーザーデータ領域のマーク又はスペースの長さはリードイン領域および／又はリードアウト領域を含む制御データ領域のマークおよび／又はスペースの長さより短く、且つユーザーデータ領域内のデータは制御データを領域のデータと同じ変調方式で変調されていることを特徴とする記録媒体にデータを記録する方法。
【請求項８】
（ａ）制御データ領域の最小マーク又はスペースの長さがユーザーデータ領域の最小マーク又はスペースの長さに対し、少なくとも２倍となるように制御データ領域のデータを処理するステップと、
（ｂ）制御データ領域に上記の処理をしたデータを記録するステップとを、更に有する請求項７記載の方法。
【請求項９】
制御データ領域内とユーザデータ領域内のマーク又はスペースは４０５ｎｍの波長（λ）を有するレーザビームを使用した光ピックアップ装置によって形成する請求項８記載の方法。
【発明の詳細な説明】
【技術分野】
【０００１】
本発明は、リードイン領域、データ領域、リードアウト領域を含む高密度ＤＶＤ（ＨＤ−ＤＶＤ）またはブルーレイディスク（Ｂｌｕ−ｒａｙ  Ｄｉｓｃ）のような高密度光ディスクに関する。
【背景技術】
【０００２】
図１は、一般的なＤＶＤ（Ｄｉｇｉｔａｌ  Ｖｅｒｓａｔｉｌｅ  Ｄｉｓｃ）に対するディスク構造を示したものである。ＤＶＤ１０は、１．２ｍｍのディスク厚さと１２０ｍｍのディスク直径、そして１５ｍｍ直径の中央ホールと光ディスク装置内に具備されたターンテーブル及びクランパによりクランピングするための４４ｍｍ直径のクランピング領域を有する構造として製造される。
【０００３】
一方、ＤＶＤにピットパターンとして記録されるデータ記録層は、光ディスク装置に備えられた光ピックアップの対物レンズ（ＯＬ）に向いた透明膜の表面から約０．６ｍｍ程度離れた位置に形成されている。ＤＶＤ用光ピックアップの対物レンズ（ＯＬ）は開口数ＮＡ＝０．６の値を有する。
【０００４】
一方、高密度ＤＶＤ（ＨＤ−ＤＶＤ：Ｈｉｇｈ  Ｄｅｎｓｉｔｙ  ＤＶＤ）またはブルーレイディスク（Ｂｌｕ−ｒａｙ  Ｄｉｓｃ）のような高密度光ディスク２０は、図２に示したように、１．２ｍｍのディスク厚さと１２０ｍｍのディスク直径、そして１５ｍｍ直径の中央ホールと光ディスク装置内に具備されたターンテーブル及びクランパによりクランピングされる４４ｍｍ直径のクランピング領域を有する構造として製造される。また高密度光ディスクのデータ記録層は、光ディスク装置に備えられた光ピックアップの対物レンズ（ＯＬ）に向いた透明膜の表面から約０．１ｍｍ程度離れた位置に形成される。
【０００５】
この高密度光ディスク用光ピックアップの対物レンズ（ＯＬ）は開口数（ＮＡ）が一般のＤＶＤに比べて大きいＮＡ＝０．８５の値を有している。高密度に記録されたデータを再生または記録するために、一般のＤＶＤに比べて波長が短い短波長のレーザービームを用いている。すなわち、一般のＤＶＤ１０は６５０ｎｍ波長のレーザービームを用いるが、高密度光ディスク２０は４０５ｎｍ波長のレーザービームを用いて高密度に記録されたデータを再生または記録する。
【０００６】
したがって、高密度光ディスクの場合、高密度光ディスク用の光ピックアップの対物レンズ（ＯＬ）をディスクの記録層により近接させた状態で短波長のレーザービームを発光させ、さらに、対物レンズの開口数（ＮＡ）を大きくすることによって、より多い光量のレーザービームを小さいビームスポットとして高密度記録層上に形成させるようにしている。さらに、短波長のレーザービームが透過される光透過層をごく短い距離に短縮させて、レーザービームの性質の変化や収差の発生を最小化させている。
【０００７】
前記のような高密度光ディスクは、図３に示したように、リードイン領域、データ領域、リードアウト領域が設けられている。リードイン領域には、高密度光ディスクの記録または再生に必要な主要情報、例えばディスクサイズ、ディスク構造、データ記録密度、データ領域割り当て情報等のような主要情報が記録される。
【０００８】
したがって、光ディスク装置は、高密度光ディスク２０が装置内に挿入されると、リードイン領域２０１に記録された主要情報を優先的に読み出して確認した後、その主要情報を参照して、データ領域２０２に記録された信号を読み出して再生したりまたは記録する一連の再生動作または記録動作を実行する。
【０００９】
リードイン領域２０１、データ領域２０２、リードアウト領域２０３のチャネルビット長さとデータビット長さは、２３．３ＧＢ級高密度光ディスクの場合、８０．００ｎｍと１２０ｎｍで、２５ＧＢ級高密度光ディスクの場合、７４．５ｎｍと１１１．７５ｎｍであり、また２７ＧＢ級高密度光ディスクの場合、６９．００ｎｍと１０３．５０ｎｍである。これに対して、各領域２０１、２０２、２０３に記録されるデータの最小マーク／スペース長さはすべて同一である。
【００１０】
しかし、高密度光ディスクに記録されたデータを読み出したり、再生したりまたはディスクに記録するためには、リードイン領域に記録された主要情報を優先的に正確に読み出して確認しなければならないが、その際、高密度記録によるマークとスペース間の干渉が発生したり、スクラッチまたはホコリなどの影響を大きく受けることがある。それにより、主要情報を正常的に読み出すことができなくなった事例が頻繁に発生し、結局データの再生動作または記録動作に致命的なエラーが発生するという問題があった。
【発明の開示】
【課題を解決するための手段】
【００１１】
したがって、本発明は前記のような問題を解決するために創作されたものであって、高密度ＤＶＤ（ＨＤ−ＤＶＤ）またはブルーレイディスク（Ｂｌｕ−ｒａｙ  Ｄｉｓｃ）のような高密度光ディスクのリードイン領域に記録される制御情報を、光ディスク装置がより正確に読み出して確認することができる高密度光ディスクと、その高密度光ディスクから再生またはディスクに記録することができる方法を提供することが目的である。
【００１２】
前記のような目的を達成するための本発明による高密度光ディスクは、リードイン領域、データ領域、リードアウト領域を含む高密度光ディスクにおいて、リードイン領域に記録されているデータの最小マークまたはスペースの長さがデータ領域に記録されるデータの最小マークまたはスペースの長さより長いことを特徴とする。
【００１３】
また、本発明による高密度光ディスクは、リードイン領域のデータの最小マークまたはスペースの長さがデータ領域に記録されるデータの最小マークまたはスペースの長さより長い状態で記録されるが、そのリードイン領域に記録された最小マークまたは最小スペースの長さは、レーザービームスポットの有効直径より長いか、または同じであることを特徴とする。
【００１４】
さらに、本発明による高密度光ディスクは、リードアウト領域にリードイン領域に記録されたデータが少なくとも一つ以上重複記録され、リードアウト領域に重複記録されたデータの最小マークまたは最小スペースの長さが、リードイン領域に記録されたデータの最小マークまたは最小スペースの長さと同一であることを特徴とする。
【００１５】
さらに、本発明による高密度光ディスクは、リードイン領域のデータの最小マークまたは最小スペースの長さがデータ領域のデータの最小マークまたは最小スペースの長さより長い状態で記録され、高密度光ディスクの特定領域にリードイン領域とデータ領域のデータの最小マークまたは最小スペースに関する情報が記録されていることを特徴とする。
【００１６】
本発明による高密度光ディスクの再生または記録方法は、リードイン領域に記録されたデータを読むための準備過程でスピンドルモーターの回転速度を検出して、検出された回転速度とあらかじめ設定された基準回転速度とを比較する１段階と、１段階の結果を基にして、リードイン領域に記録されたデータの再生のための再生処理アルゴリズムを適用する２段階とを含むことを特徴とする。
【００１７】
また、本発明による高密度光ディスクの再生または記録方法は、リードイン領域とデータ領域に記録されたデータの最小マークまたは最小スペースに関する情報を特定領域から読み出して相互に比較する１段階と、１段階の結果を基にして、リードイン領域に記録されたデータの再生のための再生処理アルゴリズムを適用する２段階とを含むことを特徴とする。
【００１８】
本発明によるリードイン領域、ユーザーデータ領域、リードアウト領域を含む光記録媒体に情報を記録する方法は、ユーザーデータ領域に、制御器からの制御信号によってデータを記録する段階と、リードイン領域またはリードアウト領域に、ユーザーデータ領域に記録されたデータの再生を制御するための第１制御情報を記録する段階と、リードイン領域、リードアウト領域、ユーザーデータ領域以外の領域に、リードイン領域またはリードアウト領域に記録されるデータの再生を制御するための第２制御情報を記録する段階とを含み、第２制御情報がユーザーデータ領域に記録されたマークまたはスペースの最小長さとリードイン領域またはリードアウト領域に記録されたマークまたはスペースの最小長さをそれぞれ指示することを特徴とする。
【００１９】
また、本発明によるリードイン領域、ユーザーデータ領域、リードアウト領域を含む光記録媒体に情報を記録する方法は、ユーザーデータ領域に、制御器からの制御信号によってデータを記録する段階と、ユーザーデータ領域以外の特定領域に、ユーザーデータ領域に記録されたデータの再生を制御するための制御情報を記録する段階とを有し、制御情報がユーザーデータ領域に記録されたマークまたはスペースの最小長さとリードイン領域またはリードアウト領域に記録されたマークまたはスペースの最小長さをそれぞれ指示する情報を含むことを特徴とする。
【発明の効果】
【００２０】
本発明による高密度光ディスクは、主要情報を光ディスク装置より正確に読み出して確認することができ、高密度記録によるマークとスペース間の干渉発生を最少にすることができ、またスクラッチ及びホコリなどによる影響を減少させることができ、データ再生動作または記録動作にエラーが発生するようことを效率的に予防できて非常に有用である。
【発明を実施するための最良の形態】
【００２１】
以下、本発明による高密度光ディスクと高密度光ディスクの再生と記録方法に対する望ましい実施形態を添付した図面を参照しながら詳細に説明する。
【００２２】
図４は、本発明による高密度光ディスクのリードイン領域とデータ領域にデータの最小マーク／スペースの長さが異なるように記録された状態を比較して示した図である。高密度光ディスク３０、例えば高密度ＤＶＤ（ＨＤ−ＤＶＤ）またはブルーレイディスク（Ｂｌｕ−ｒａｙ  Ｄｉｓｃ）は、リードイン領域３０１、データ領域３０２、リードアウト領域３０３を含むが、リードイン領域３０１に記録される主要情報、例えばディスクサイズ、ディスク構造、データ記録密度、データ領域割り当て情報等のような主要情報は、データ領域３０２に記録される一般ビデオ及びオーディオデータの最小マークと最小スペースの長さより長い最小マークと最小スペースで記録される。
【００２３】
例えば、図４に示したように、リードイン領域に記録される主要情報のデータは、その最小マーク（Ｍｉｎｉｍｕｍ  Ｍａｒｋ  Ｌｅｎｇｔｈ＿ＬＩＡ）が、データ領域に記録される一般ビデオ及びオーディオデータの最小マーク長さ（Ｍｉｎｉｍｕｍ  Ｍａｒｋ  Ｌｅｎｇｔｈ＿ＤＡ）より長い状態で記録される。リードイン領域に記録される最小マークは、高密度光ディスク用対物レンズの開口数（ＮＡ）とレーザービームの波長λにより決定されるビームスポットの有効直径長さと同一か、またはより長い。
【００２４】
すなわち、レーザービームスポットの有効直径は、高密度光ディスク用対物レンズの開口数がＮＡ＝０．８５で、レーザービームの波長がλ＝４０５ｎｍ（０．４０５μｍ）であると、次の式により約３９５ｎｍと算出される。
ビームスポット＝0.83×λ/NA＝0.83×0405/0.85＝0.395μm＝395 nm
０．８３：係数
λ：波長
ＮＡ：開口数
【００２５】
したがって、リードイン領域３０１に記録される主要情報のデータは、レーザービームスポットの有効直径である３９５ｎｍと同一か、または３９５ｎｍより長い最小マークで記録される。すなわち、データ領域３０２に記録されたビデオ及びオーディオデータの最小マークより長い最小マークで記録される。この時、リードイン領域の最小スペース（Ｍｉｎｉｍｕｍ  Ｓｐａｃｅ  Ｌｅｎｇｔｈ＿ＬＩＡ）も最小マークのように、レーザービームスポットの有効直径である３９５ｎｍと同一か、または３９５ｎｍより長く、データ領域３０２に記録された最小スペース（Ｍｉｎｉｍｕｍ  Ｓｐａｃｅ  Ｌｅｎｇｔｈ＿ＤＡ）より長く記録される。
【００２６】
例えば図３に示されたテーブルを基準にして説明する。高密度光ディスクは大別して３種の記録密度を有する。片面基準で２３．３０５Ｇｂｙｔｅｓ、２５．０２５Ｇｂｙｔｅｓ、２７．０２０Ｇｂｙｔｅｓに分けることができる。それぞれの記録密度に該当するチャネルビット長さ、すなわち１Ｔに該当する長さは２３．３０５Ｇｂｙｔｅｓの場合には８０．００ｎｍであり、２５．０２５Ｇｂｙｔｅｓの場合には７４．５０ｎｍ、２７．０２０Ｇｂｙｔｅｓの場合には６９．００ｎｍである。
【００２７】
上記のように算出されたビームスポットの有効直径３９５ｎｍは、例えば２３．３０５Ｇｂｙｔｅｓを基準にする場合、約５Ｔの長さを有する（３９５／８０．００＝４．９３７５ｎｍ）。データ領域に記録されるデータのマークまたはスペースは２Ｔ〜８Ｔの長さを有する。したがって、リードイン領域に記録されるデータの最小マークまたはスペースをビームスポットの有効直径と同じか大きくする場合、５Ｔ以上の長さを有するマークまたはスペースでリードイン領域のデータが記録されることになる。この場合、リードイン領域に記録されるデータの変調方式を変えて５Ｔ〜８Ｔあるいは５Ｔ〜１１Ｔのマークまたはスペースでデータを記録したり、また、データ領域に記録されるデータの変調方式と同一の変調方式にして最小マークまたはスペースの長さが大きくなった比率に比例して残りのマークまたはスペースの長さも増やして記録することも可能である。
【００２８】
リードイン領域に記録されるデータの変調方式をデータ領域に記録されるデータの変調方式と同じ場合、残りのマークまたはスペースは最小マークまたはスペースの長さが大きくなった比率に比例して増えるので、データ領域の２Ｔがリードイン領域の５Ｔの長さに該当し、データ領域の３Ｔはリードイン領域の７．５Ｔの長さに該当し、データ領域の８Ｔはリードイン領域の２０Ｔに該当する。このように既存の２Ｔ〜８Ｔの代わりに５Ｔ〜２０Ｔの長さを適用する場合、リードイン領域のエンボスド領域の空間をかなり多く占めるという短所があるが、既存のエンボスド領域がディスクと関連した主要情報を記録することに充分な領域を確保しているので大きな問題とはならない。また、同一の変調方式を用いるので、システムに負担をあまり与えない利点がある。
【００２９】
次に、リードイン領域に記録されたデータの最小マークまたはスペースを５Ｔ以上にしてデータの変調方式をデータ領域に記録されるデータの変調方式と異なるようにする場合、例えば、５Ｔ、６Ｔ、７Ｔ、８Ｔの４種類の長さのマークまたはスペースだけを利用して変調したり、５Ｔ〜１１Ｔのマークまたはスペースを利用して変調する場合、リードイン領域の空間をあまり占めない利点があるが、新しい変調方式の開発と新しい変調方式に対応する復調のための新しい再生装置の追加が必要でシステムに負担を与えるという短所がある。
【００３０】
一方、前記のようにリードイン領域に記録されたデータの最小マークまたはスペースの長さがデータ領域のものより長いディスクや、リードイン領域に記録されたデータの変調方式がデータ領域の変調方式と異なるディスクを再生したりそのディスクにデータを記録する場合、ディスクの再生または記録に必要な情報を収めたリードイン領域を読むためにはディスクのリードイン領域に対する情報を把握する必要がある。すなわち、リードイン領域に記録されたデータの最小マークまたはスペースの長さや変調方式を知らなければリードイン領域に記録されたデータを読むことができない。
【００３１】
したがって、リードイン領域より内側であってディスクが挿入された時、最も早く読み込む特定領域にリードイン領域に関する情報を記録しておく必要がある。図６に示したように、リードイン領域の内側にはＢＣＡ（Ｂｕｒｓｔ  Ｃｕｔｔｉｎｇ  Ａｒｅａ）がある。したがって、ディスクが挿入される場合に最も早く読み込むＢＣＡにリードイン領域に関する情報を記録する方法が望ましい。この特定領域に記録されたリードイン領域に対する情報を利用して、リードイン領域に記録されたデータの再生が可能になる。
【００３２】
図７（Ａ）にはＢＣＡ−コードのデータ構造が図７（Ｂ）にはデータコンテンツが図示されている。例えば、２番目のデータユニットにリードイン領域の最小マークまたは最小スペースの長さを記録し、３番目のデータユニットにはデータ領域の最小マークまたは最小スペースの長さを記録し、４番目のデータユニットにはリードイン領域の変調方式を記録することができる。この場合２番目のデータユニットの１番目のバイトＩ0,1のｂ１ｂ０を０１にし、ｂ７〜ｂ２を００００１０にして、２番目のデータユニットの残りの１５バイトにリードイン領域の最小マークまたは最小スペースの長さを指示するのに使うことができるということを示している。同様に、３番目のデータユニットの１番目のバイトＩ0,2のｂ１ｂ０を１０に、ｂ７〜ｂ２を００００１０にして、３番目のデータユニットの残りの１５バイトをデータ領域の最小マークまたは最小スペースの長さを指示するのに使用することができる。同様に、４番目のデータユニットの１番目のバイトＩ0,3のｂ１ｂ０を１１に、ｂ７〜ｂ２を００００１０にして、４番目のデータユニットの残りの１５バイトをリードイン領域の変調方式を指示するのに使用することができる。
【００３３】
図８は本発明による高密度光ディスクの記録及び再生システムを示したものである。
その構成は次の通りである。記録または再生用高密度光ディスク５０、光ディスクからデータを再生したりディスクに記録するための光ピックアップ６０、ピックアップで読み込んだデータを波形整形するＲＦ処理部、ＲＦ処理部から再生されるデータをデジタル変換してデータを復調したり記録時にはデータを変調するためのデジタル信号処理部７０、データを一時的に格納するためのバッファーメモリ８０、本システムのそれぞれの構成要素を制御するための制御部９０を備えている。デジタル信号処理部７０は、高密度光ディスクのデータ領域に記録された一般的なデータの再生に適するデフォルト復調及び再生信号処理のための手段７１と、リードイン領域のように特別に変調したり最小マークまたは最小スペースの長さが比率的に長くなった状態で記録されたデータの再生に適する復調及び再生信号処理のための手段７２を含む。。
【００３４】
詳細には光ディスク５０がローディングされて光ピックアップ６０で読み出したデータがＲＦ処理部を経てデジタル信号処理部に入力されると、制御部９０は、光ディスクの特定領域、望ましくは最内側に記録されたリードイン領域の再生に関する情報を使用してリードイン領域に記録されたデータの再生に適する復調または再生信号処理方式を選択するように制御する。
【００３５】
これにより、リードイン領域に記録されたデータの最小マーク／スペースの長さが、レーザービームスポットの有効直径と同一か、またはそれより長いので、高密度光ディスクを再生または記録する光ディスク装置は、リードイン領域に記録された主要情報をより正確に読み出して確認することができる。したがって高密度記録によるマーク、スペース間の干渉の発生を最少にすることができ、またスクラッチやホコリなどによる影響を減少させることができ、データ再生動作または記録動作にエラーが発生するのを效率的に抑制することができる。
【００３６】
前記のような高密度光ディスクのリードイン領域に所定の大きさ以上のスクラッチやホコリのような欠陥が存在する場合に備えて、前述したように、記録される同一の主要情報を、図５に示したように、リードアウト領域４０３にも重複して記録することができる。
【００３７】
次に前記のようにリードイン領域のデータの最小マークまたはスペースの長さがデータ領域の最小マークまたはスペースの長さより長く記録された高密度光ディスクを再生または記録する方法について説明する。
【００３８】
一般的にディスク再生装置は、ディスクが装着されると、ディスク再生または記録装置はディスクのリードイン領域に記録された主要情報を読み取ってそれをメモリに格納する。ディスク再生または記録装置は一定のユーザーデータビットレートを得る速度でスピンドルモーターを回転させるので、リードイン領域、データ領域、内周、外周どこでも一定の線速度を維持する。
【００３９】
したがって、リードイン領域と一般データ領域に記録されたマークまたはスペースの長さが同じ場合、リードイン領域に記録されたデータを読むためのディスク回転の線速度とデータ領域を読むための線速度が同一であるので、ディスクの一定半径に位置したリードイン領域を読む時のスピンドルモーターの回転速度を予想することができる。
【００４０】
しかし、リードイン領域に記録されたデータのマークまたはスペースの長さがデータ領域に記録されたマークまたはスペースの長さより長い場合、一定のユーザーデータビットレートを得るための線速度はリードイン領域が一般データ領域より速くなければならないので、リードイン領域を読む時のスピンドルモーターの回転速度を前記した予想されたモーターの回転速度より速くする。
【００４１】
一方、データの密度が高くなると、すなわちマークまたはスペースの長さが短くなったりトラック間の間隔が狭くなれば、ビームスポットの分解能が落ちて光伝達関数の特性が悪くなって、光ピックアップを介して読み込んだ信号の復調と再生処理が難しくなる。したがって、読み込んだ信号の再生処理のために変調方式を変えたり復調する過程では変調方式に対応するＰＲＭＬ（Ｐａｒｔｉａｌ  Ｒｅｓｐｏｎｓｅ  Ｍａｘｉｍｕｍ  Ｌｉｋｅｌｉｈｏｏｄ）やビタビ（Ｖｉｔｅｒｂｉ）等のような通信技法で使われる復調方式を用いる。
【００４２】
読み込んだ信号の再生のための復調方式は一定の変調方式により変調したデータだけ処理することができ、他の方式で変調したり、光伝達関数の特性が異なる場合には復調することができない。したがって、前記のようにリードイン領域とデータ領域のマークまたはスペースの長さが異なる場合はそれぞれの領域で光伝達関数の特性が異なるので、読み込んだ信号を復調し、再生するとき、各領域毎に異なる信号処理技法を適用しなければならない。
【００４３】
図９は本発明の１番目の実施形態による高密度光ディスクの再生方法と記録方法の動作フローチャートを示したものである。
【００４４】
光ディスク再生装置または記録装置に、高密度光ディスクが挿入されると（Ｓ１０）、光ディスク装置はリードイン領域に記録されたデータをユーザーデータビットレートで読み込むための線速度で前記ディスクを回転させながらスピンドルモーターの回転速度を検出する（Ｓ１１）。
【００４５】
検出された回転速度をあらかじめ設定された基準回転速度とを比較する（Ｓ１２）。設定された基準回転速度は、リードイン領域のデータの最小マークまたはスペースの長さとデータ領域のデータの最小マークまたはスペースの長さが同一のディスクのリードイン領域のデータをユーザーデータビットレートで読み込むために必要な速度である。この時、検出された回転速度が基準回転速度より大きい場合、リードイン領域に記録されたデータの最小マークまたは最小スペースの長さがデータ領域に記録されるデータの最小マークまたは最小スペースの長さより長いと判断する。そして最小マークまたはスペースが長く記録されたリードイン領域のデータを再生するための新しい再生処理方式を適用してリードイン領域を読み込む（Ｓ１３）。リードイン領域に記録されたすべてのデータを読み込んだか否かを確認して（Ｓ１４）、リードイン領域に記録されたデータをすべて読み込んだ場合、データ領域に記録されたデータを再生するためにデフォルト再生処理方式に切り換えて再生または記録する過程を進行する（Ｓ１５）。
【００４６】
図１０は本発明の２番目実施形態による高密度光ディスクの再生と記録方法に対する動作フローチャートを示したものである。
【００４７】
光ディスク再生装置または記録装置に、リードイン領域とデータ領域の最小マークまたは最小スペースに関する情報が光ディスクの特定領域に記録された高密度光ディスクが挿入される（Ｓ２０）。光ディスク装置は装着された光ディスクの特定領域からそれぞれの領域の最小マークまたは最小スペースの長さを読み込む（Ｓ２１）。読み込んだそれぞれの値を比較して（Ｓ２２）、比較結果、リードイン領域の最小マークまたは最小スペースの長さがデータ領域の最小マークまたは最小スペースの長さより長い場合、最小マークまたはスペースが長く記録されたリードイン領域のデータを再生するための新しい再生処理方式を適用してリードイン領域を読み込む（Ｓ２３）。リードイン領域に記録されたデータをすべて読み込んだか否かを確認して（Ｓ２４）、リードイン領域に記録されたデータをすべて読み込んだ場合、データ領域に記録されたデータを再生するためにデフォルト再生処理方式に切り換えて再生または記録する過程を進行する（Ｓ２５）。
【００４８】
前述した高密度光ディスクの再生と記録方法に対する二つの実施形態は、リードイン領域に記録されたデータを再生するための別の再生または復調方法とデータ領域に記録されたデータを再生するためのデフォルト再生または復調方法を選択的に適用することができる特徴がある。
【００４９】
前記のように主要情報がリードイン領域及びリードアウト領域に重複記録された高密度光ディスク４０が装置内に挿入された場合には、光ディスク装置は、リードイン領域４０１に記録された主要情報を優先的に読み出して確認する過程で主要情報が正常に読み出されているか否かを確認する。主要情報が正常に確認されない場合、光ピックアップをリードアウト領域４０３に移してそのリードアウト領域に重複記録された主要情報を読み出す。この過程で主要情報が正常に読み出されたか否かを再び確認する。この時主要情報が正常に確認されない場合は、挿入されたディスクの再生または記録動作にエラーが発生したことに判断して終了する。一方、リードイン領域やリードアウト領域で主要情報が正常に読み出された場合はデータ領域４０２に記録された信号を読み出して再生したりまたは記録する一連の再生動作または記録動作を正常に行う。
【００５０】
前記説明ではディスクの再生、記録を基準にして説明したが、ディスクを製造する場合にも、リードイン領域に記録されたデータの再生のために必要な情報、または、データ領域とは異なった最小長さのマークまたはスペースを持つリードイン領域のマークやスペースを光変調するために必要な情報をディスクの特定領域に記録する方法及び装置、特にマスタリング装備に対しても前述した内容を容易に適用することが可能である。すなわち、リードイン領域に記録されるデータの最小マークまたはスペースの長さをデータ領域に記録されるデータの最小マークまたは最小スペースの長さより長くし、そのリードイン領域に記録されたデータを適切に読むことが出来るように、リードイン領域に対する識別情報を記録した特定領域を有するディスクの製造方法への拡張も可能である。
【００５１】
以上、前述した本発明の望ましい実施形態は例示の目的のために開示されたものであって、当業者ならば添付された特許請求範囲に開示された本発明の技術的思想とその技術的範囲内で、多様な他の実施形態を改良、変更、代替または付加などが可能である。
【図面の簡単な説明】
【００５２】
【図１】一般的なＤＶＤに対するディスク構造を示した図である。
【図２】一般的な高密度光ディスクに対するディスク構造を示した図である。
【図３】一般的な高密度光ディスクのリードイン領域と、データ領域、リードアウト領域を示した図である。
【図４】本発明による高密度光ディスクのリードイン領域とデータ領域に異なる最小マーク／スペース長さのデータが記録された状態を比較図示したのである。
【図５】本発明による高密度光ディスクのリードイン領域に記録された主要情報がリードアウト領域に重複記録された状態を示した図である。
【図６】一般的な高密度光ディスクのＢＣＡを概念的に示した図である。
【図７Ａ】一般的な高密度光ディスクのＢＣＡ−コードのデータ構造を示した図である。
【図７Ｂ】一般的な高密度光ディスクのＢＣＡ−コードのデータコンテンツを示した図である。
【図８】本発明による高密度光ディスクの記録及び再生システムを示した図である。
【図９】本発明の第１実施形態による高密度光ディスクの再生と記録方法に対する動作フローチャートを示した図である。
【図１０】本発明の第２実施形態による高密度光ディスクの再生と記録方法に対する動作フローチャートを示した図である。
【符号の説明】
【００５３】
５０…光ディスク、６０…光ピックアップ、７０…デジタル信号処理部、８０…バッファーメモリ、９０…制御部。
【図１】
2007250181.tif 000003
【図２】
2007250181.tif 000004
【図３】
2007250181.tif 000005
【図４】
2007250181.tif 000006
【図５】
2007250181.tif 000007
【図６】
2007250181.tif 000008
【図７Ａ】
2007250181.tif 000009
【図７Ｂ】
2007250181.tif 000010
【図８】
2007250181.tif 000011
【図９】
2007250181.tif 000012
【図１０】
2007250181.tif 000013